Podtech/llm-jp-corpus-v4-ja_patent huggingface dataset:
(57)【要約】【課題】光ピックアップ装置の対物レンズ及びその周辺のホコリ、ゴミ等を、対物レンズに無接触でクリーニングすることを提供するものである。【解決手段】クリーニングディスク１の回転により発生する風圧を吸入口５より取り込み、エアー密度を高めながら噴射口６より噴射する形状を形成した通気機構４を、１つまたは複数設けることによって、光ピックアップ装置の対物レンズ９を無接触で清掃する。【選択図】  図１
2004178778.tif 000002
【特許請求の範囲】
【請求項１】
光ピックアップ装置の対物レンズを清掃するため、クリーニングディスクの回転により発生する風圧を吸入口より取り込み、エアー密度を高めながら噴射口より噴射する形状を形成した通風機構を１つ又は１つ以上設け、エアーを勢いよく噴射させて光ピックアップ装置の対物レンズを無接触で清掃することを特長とするクリーニング装置。
【請求項２】
上記クリーニング装置は空気との摩擦により静電気を発生しやすい素材を用いたことを特長とする請求項１記載のクリーニング装置。
【発明の詳細な説明】
【０００１】
【発明の属する技術分野】
本発明は、光ピックアップ装置の対物レンズの、クリーニング装置に関するものである。
【０００２】
【従来の技術】
情報の記録再生に工学的な手段を使用するディスク状記録媒体としては、光ディスク及び光磁気ディスク等が知られている。これらのディスク状記録媒体は、デジタルの音楽メディアとしてＣＤ  ＭＤ、及び映像メディアＤＶＤ、またコンピューター用の記憶メディアとしてＣＤ−ＲＯＭ等に利用されている。
各ソフトの再生または読み取りは光ピックアップ装置で行われ、該光ピックアップ装置のレーザー入出力は対物レンズを使用している。
光ピックアップの対物レンズに付着した小さなゴミ、ホコリ等を取り除くためには、該光ピックアップに対面するディスク面に清掃部材を取り付けたクリーニングディスクを、光ピックアップ装置でプレーすることによって清掃部材が、光りピックアップの対物レンズ面のクリーニングを行う。
【０００３】
【発明が解決しようとする課題】
しかし、光ピックアップの対物レンズを、前記クリーニングディスクでクリーニングする場合回転動作によって行われ、現在多くのクリーナーは清掃部材全体が、該光ピックアップの対物レンズに接触するため光ピックアップ及びそれらをを構成する駆動部に衝撃を与え易く、長期の使用によっては大きなダメージを与えることとなる。特にディスク回転数の高いＣＤ−ＲＯＭドライブやＤＶＤプレーヤにおいては与えるダメージは顕著である。
本発明は従来技術が不十分であるクリーニングの、問題点を解決するものである。
【０００４】
【課題を解決する手段】
上記問題点を解決するため本発明は、クリーニングディスクの回転により発生する風圧を吸入口より取り込み、エアー密度を高めながら噴射口より噴射する形状を形成した通風機構を、１つ又は複数設けることによって、光ピックアップの対物レンズを無接触で清掃できるため、光ピックアップ及びそれらを構成する駆動部及び対物レンズにダメージを一切与えない。更にクリーニングディスク自体に静電気を帯び易い素材を用いることにより、ディスクが回転した際に、空気との摩擦によってディスクが帯電し、噴射によって舞い上がったホコリを吸着し、レンズはもとよりプレーヤ内部への再付着も防ぐことができる。
【０００５】
【発明の実施と形態】
本発明の構成を図１〜図９によって説明する。
クリーニグディスク１は、センターホール３及び信号記録面２を設け、該信号記録面２外周に通風機構４形成し、該通風機構４にはエアー吸入口５及び信号記録面２に接しエアー噴射口６を設け、エアー吸入口５及びエアー噴射口６は、それぞれ１つ又は複数設けている。又、エアー吸入口５とエアー噴射口６の形状は、エアー噴射口６に向かってエアーの密度を高める構造とし、特にエアー噴射口６は小さな円形状の孔とし光ピックアップの駆動部１０に構成された対物レンズ９にエアーが直接噴射出来るよう斜めに構成されている。
【０００６】
【実施例】
本発明の実施例を図１〜図１０によって説明する。
光ピックアップ装置を具備したＣＤ，ＤＶＤプレーヤまたはＣＤ−ＲＯＭドライブにセットすると、クリーニングディスク１のセンターホール３が、光ピックアップ装置のスピンドル１１及びクランプベース１２に結合される。プレーボタンをＯＮにすることによりクリーニングディスク１は数秒間回転する。この際、発生する風圧を通風機構４の吸入口５に取り込み密度を高め噴射口６より噴射し、光ピックアップ装置の対物レンズ９及びその周辺を無接触でクリーニングする。
【０００７】
【発明の効果】
以上の通り、本発明のクリーニング装置は、光ピックアップ装置の対物レンズ及びその周辺のホコリ、ゴミ等を、クリーニングディスクの回転による風圧を効果的に利用して無接触でクリーニングするもので、光ピックアップ装置の対物レンズ及び光ピックアップの駆動部にダメージを与えない。
【図面の簡単な説明】
【図１】本発明のクリーニング装置の全体を示す斜視図
【図２】本発明の通風機構を複数設けた状態を示すクリーニング装置正面図。
【図３】本発明の通風機構を複数設けた状態を示すクリーニング装置下面図。
【図４】本発明の通風機構を１つ設けた状態を示すクリーニング装置正面図。
【図５】本発明の通風機構を１つ設けた状態を示すクリーニング装置下面図。
【図６】本発明の通風機構を複数設けた吸入口部分を示すＡ−Ａ断面拡大図。
【図７】本発明の通風機構を１つ設けた吸入口部分を示すＢ−Ｂ断面拡大図。
【図８】本発明の通風機構を１つ又は複数設けた噴射口部分を示すＣ−Ｃ断面拡大図。
【図９】本発明の通風機構を１つ又は複数設けた噴射口部分を示すＤ−Ｄ断面図。
【図１０】本発明の実施例を示す縦断面図。
【符号の説明】
１：クリーニングディスク
２：信号記録面
３：センターホール
４：通風機構
５：吸入口
６：噴射口
７：エアーの流れ
８：回転方向
９：対物レンズ
１０：駆動部
１１：スピンドル
１２：クランプベース
【図１】
2004178778.tif 000003
【図２】
2004178778.tif 000004
【図３】
2004178778.tif 000005
【図４】
2004178778.tif 000006
【図５】
2004178778.tif 000007
【図６】
2004178778.tif 000008
【図７】
2004178778.tif 000009
【図８】
2004178778.tif 000010
【図９】
2004178778.tif 000011
【図１０】
2004178778.tif 000012
(57)【要約】      （修正有）【課題】プログラムの働き及びフローが容易に読みとれるコンピュータのプログラムを提供する。【解決手段】コンピューターのプログラムの各行の頭（各ステップの頭）に連番号を付して、その各行（各ステップ）の下に、１、２、３、と番号をつけ、１  では、流れ（フロー）が、何番目の行（ステップ）から来たかを記述し、２  では、この行（このステップ）は、どのような働きをするのかを、記述し、３  では、この行（このステップ）で働いた後に、これから、何番目の行（ステップ）へゆくのかを記述する。そして、３をクリックすれば、これからゆく先の行（ステップ）が網かけになり何百、何千さきの行（ステップ）であっても直ちに素早く判読できるプログラム。【選択図】なし【特許請求の範囲】
【請求項１】
コンピューターのプログラム（以下プログラムとのみ記述する）の各行（各ステップ）の頭に連続番号を付し、各行（各ステップ）ごとに▲１▼、▲２▼、▲３▼の番号をその行（ステップ）の下につける。
【請求項２】
その行（ステップ）のプログラムの流れ（フロー）を▲１▼、▲２▼、▲３▼で説明する。
【請求項３】
プログラムの流れ（フロー）が、
▲１▼  では、何番目の行（ステップ）から来て、
▲２▼  では、そこでどのような働きをして、
▲３▼  では、その後何番目の行（ステップ）にゆくのか、
その流れ（フロー）の経路を▲１▼、▲３▼では説明し、▲２▼では行（ステップ）の働きを説明する。
【請求項４】
▲３▼にカーソルを当てクリックで指定された流れ（フロー）のゆく先の行（ステップ）を網かけ状態にする事により、一目瞭然となり発見しやすくなる。
【発明の詳細な説明】
【０００１】
例えば５０行目に下記の行があると仮定すると。
【０００２】
５０  Ｔｅｓｄ  ＊（  Ｉｎ  Ｓｔａｔｅ  ＝ａｂｃ）；
▲１▼  １３行から来た。
▲２▼  ａｂｃの内容をＩｎ  Ｓｔａｔｅに代入して、それをＴｅｓｄが文字として画面に表示する。
▲３▼  １７９行へゆく。と記述する。
【０００３】
そして、  ▲３▼にカーソルを当てクリックすると１７９行目が網かけ状態になる。
【従来の技術】
【０００４】
従来のプログラムは行（ステップ）を説明する説明文が全くないか又は、所々にわづかしか記述がない。
【発明が解決しようとする課題】
【０００５】
これではその社員が転勤、休職、退職したときは後任者は数十万、数百万単位の行（ステップ）を読解することは不可能である。  勿論、社内研修の社員も同じである。
【０００６】
そこで各行（各ステップ）ごとの説明文を前記のように▲１▼、▲２▼、▲３▼と短くハッキリと論理を分析、確定して説明文を必ず付加させ、尚、その上に▲３▼をクリックすればそこに指示している行（ステップ）を網かけで明示すれば、素早く流れ（フロー）を発見して理解することが出来る。
【実施例】
【０００７】
５１，  Ｔｅｓｄ  ＊（  ＩｎＳｔａｔｅ  ＝ａｂｃ）；
▲１▼  １３行から来た。
▲２▼  ａｂｃの内容を  ＩｎＳｔａｔｅに代入して、それをＴｅｓｄが文字として画面に表示する。
▲３▼  １７９行へゆく。と記述する。ここをクリックすると１７９行に網がかかる。
，〜〜〜〜〜〜〜  （  行を省略  ）
，〜〜〜〜〜〜〜  （  行を省略  ）
，〜〜〜〜〜〜〜  （  行を省略  ）
，〜〜〜〜〜〜〜  （  行を省略  ）
，〜〜〜〜〜〜〜  （  行を省略  ）
１７９，  Ｎａｍｅ  ａｌ  ＝  ｎｅｗ  ａｂｃ  Ｌｉｓｔ（ｄａｔａｂａｓｅ．ｖａｌｕｅｓ（））
▲１▼  ５１行から来た。
▲２▼  ａｂｃのｄａｔａｂａｓｅをａｌと名前を変える。
▲３▼  ２５０行へゆく。
【発明の効果】
実務で使用するプログラムは数十万行（ステップ）、数百万行（ステップ）の単位で構成されていて実に複雑な構成になっている。
その上にハードの仕組みで、各行にいつも自動的に連番号が表示されているわけではない。
【０００８】
それで、プログラミングするときに最初から▲３▼で指示された番号をクリックすればその行（ステップ）が網かけになるようにしておけば、どんな初心者でも素早く理解出来る。
【０００９】
それが為に、新入社員、学生はそのプログラムで業務を施行する、あるいはプログラミングの学習をするに当たり、プログラムの各行（各ステップ）の働きを読み取れ、流れ（フロー）は何処から来て、何処へゆくのか、等を読み取る事は容易になり、作業及び学習の効率が上がるプログラムである。
(57)【要約】【課題】大きなカステラを裁断したとき、裁断面がきれいなカステラ片が得られるようなカステラの製造方法を提供すること。【解決手段】木枠４の敷き紙５の上に、紙と接する面が平面である縦桟１、横桟２、および取っ手３からなる防具を置いてから、粗目糖を撒き、生地種を入れ、防具を取り出した後、通常の工程でカステラを焼くことによって、カステラを切り分ける刃の位置に粗目糖の粒が無いような大きなカステラをつくり、それを所定の大きさに裁断するカステラの製造方法。【選択図】    図２
2004357533.tif 000002
【特許請求の範囲】
【請求項１】
原料を混合したカステラの生地種を、底の敷き紙の上に粗目糖を撒いた成形枠の内部に入れ、これをオーブンに入れて焼き上げたカステラを所定の大きさに裁断するカステラの製造方法において、上記敷き紙の上に裁断線の形状に成形された線状の防具を置いた後粗目糖を撒くことによって、裁断線上に粗目糖が撒布されるのを防止することを特徴とするカステラの製造方法。
【請求項２】
成形枠の底に想定される裁断線の位置に連続した線状の材料が接するように、この線状の材料を連続的に接続したことを特徴とする請求項１に記載のカステラの製造方法に用いる防具。
【発明の詳細な説明】
【０００１】
【発明が属する技術分野】
この発明はカステラの製造方法、特に大きな木枠を使用して焼き上げたカステラを商品の大きさに裁断するカステラの製造方法に関する。
【０００２】
【従来の技術】
カステラを製造するには普通、鶏卵、砂糖、小麦粉等に少量の水等を混合した材料をかき混ぜて泡立てた生地種を木枠に入れ、それをオーブン中で焼き上げた後、所定の大きさに裁断する工程で行われている。
【０００３】
【発明が解決しようとする課題】
伝統的な高級カステラの底面には粗目糖が沈んでいる。現在は原料として粗目糖を使わない場合でも、普通は木枠の底に紙を敷いてその上に粗目糖を撒いてから生地種をいれることが行われている。ところが、大きな木枠を使ってカステラを焼いてから所定の大きさに裁断する時、底面の粗目糖の粒がカッターの刃に当たるとそこの個所が崩れて見栄えが悪くなるのが問題であった。この発明はカッターの刃が当たるところに粗目糖の粒が存在しないようにして大きなカステラを焼いた後、それを裁断することによって、裁断線がきれいな製品を製造する方法とそのための器具を提供するものである。
【０００４】
【課題を解決するための手段】
上記課題を解決するための本発明の構成は特許請求の範囲に記載のとおりである。これを具体的に要約すると下記のとおりである。
（１）木枠の底の敷き紙の上に線状の防具を置いてから粗目糖を撒き、生地種を入れてから防具を取り出した後、通常の方法で焼き上げる。
（２）線状の防具が、木枠の底の裁断線の位置になるように互いに連続的に接続されている。
【０００５】
【発明の実施の形態】
この発明のカステラの製造工程を図解すると、図４に示す通りである。
（１）鶏卵、小麦粉、砂糖、水飴等の原材料に水を加えて混合する。
（２）適当に泡立つようによく混合する（生地種調整工程）。
（３）木枠の底の敷き紙の上に適当な防具を置く。
（４）粗目糖を撒く。
（５）木枠の中に（２）工程で出来た生地種をいれる。
（６）防具を取り出す。
（７）オーブンに入れて焼きはじめる。
（８）途中３回位、泡ぎりをしながら焼く。
（９）焼き上がったカステラを木枠から出す。
（１０）所定の大きさに裁断する。
【０００６】
上記（８）工程の泡ぎり作業はオーブンから木枠を取り出して生地種の表面をへらで均してその表面に浮かんだ大きな気泡を除く作業であって、時間と手間がかかる。しかし、
（ａ）生地種を温めてから木枠に入れる。
（ｂ）篩で濾しながら木枠に入れる。
ことによって、この泡ぎりを省略する方法も提案されている。
【０００７】
次に、この発明で用いる防具について説明する。図１はこの発明で用いる防具の一例である。縦桟１に横桟２を複数取り付け、縦桟１の両端に取っ手３を垂直方向に設けたものである。
【０００８】
これを図２に示すように、一片が６０ｃｍ位の木枠４の底の敷き紙５の上に置いて粗目糖を撒くと防具のところには粗目糖の粒がない。この状態で生地種を流し入れ、落ち着いたら取っ手３を持って防具を取り出した後は従来の製造工程のとおりでよい。
【０００９】
この防具の桟の材料はステンレス鋼、アルミニウム等が適当であるが食品に有害成分が溶出しなくて、強度が十分あればプラスチックでもよい。
【００１０】
縦桟と横桟の断面は、粗目糖の粒が桟の下に入り込まないように敷き紙と平面で接する形状がよい。例えば半円、四角形、三角形である。その太さは防具として必要な強度、カッターの刃の幅、木枠を外した時の大きなカステラの位置決めの精度等によって適当な値が決まる。
【００１１】
図３に示した防具は、裁断するカステラの大きさが図１に示した場合より小さいものの時に使う例である。どの例も、縦桟と横桟の位置は裁断線と一致していなければならないのは当然である。
【００１２】
【実施例】
実施例１
防具として、断面の幅、高さが５ｍｍの三角形のアルミニウム棒を桟の材料として、図１に示したように中心の縦桟に等間隔に横桟を取り付けたものを用いた。
幅５６ｃｍ、長さ６２ｃｍの木枠の敷き紙の上に、防具を置いて粗目糖を撒いた。その上に温めた生地種を入れ、取っ手を持って防具を引き上げた。生地種の表面を整え、オーブンに入れて焼き上げた後、木枠を外し、カステラの位置を防具のあった位置にカッターの刃が来るように調整して裁断した。
裁断面のきれいなカステラ片が出来た。
【００１３】
【発明の効果】
以上、説明したように、この発明によれば、大きな木枠を用いて焼き上げたカステラでも、裁断面のきれいな製品を良い歩留まりで得ることが出来る。
【図面の簡単な説明】
【図１】本発明で用いる防具の一例の平面図
【図２】防具を木枠の底の敷き紙の上に置いた斜面図
【図３】本発明で用いる防具の他の例の平面図
【図４】本発明の工程図の一例
【符号の説明】
１  縦桟
２  横桟
３  取っ手
４  木枠
５  敷き紙
【図１】
2004357533.tif 000003
【図２】
2004357533.tif 000004
【図３】
2004357533.tif 000005
【図４】
2004357533.tif 000006
(57)【要約】【課題】白えびを燗酒に入れて食するのに好適な調理方法及びそのようにして得られる酒の提供を目的とする。【解決手段】白えびをゆでる工程と、ゆでた白えびを天日干しする工程と、天日干しした白えびを軽く火にあぶる工程とからなる白えびとした。この白えびを燗酒に入れると美味しい白えび入り酒が得られる。【選択図】  なし【特許請求の範囲】
【請求項１】
白えびをゆでる工程と、
上記ゆでた白えびを天日干しする工程と、
上記天日干しした白えびを軽く火にあぶる工程と、
上記火にあぶった白えびを燗酒に入れる工程とからなることを特徴とする白えび酒。
【請求項２】
白えびをゆでる工程と、
上記ゆでた白えびを天日干しする工程と、
上記天日干しした白えびを軽く火にあぶる工程とからなる燗酒に入れて食するための調理された乾燥白えび。
【発明の詳細な説明】
【０００１】
【発明の属する技術分野】
本発明は、白えびの調理方法に関し、燗酒に入れて食するのに好適であり、そにようにして得られる白えび酒に係る。
【０００２】
【発明が解決しようとする課題】
白えびは、体長が６〜７ｃｍの中深層性（生息水深４０〜２４０ｍ）のオキエビ科に属する小型のエビである。
生態は白色透明で脚部や尾部など部分的に薄い紅色をしていて、死ぬとすぐ白く不透明になる。
日本近海、インド洋、地中海、大西洋に広く分布しているが、漁業として漁獲が行われているのは富山湾だけである。
このような白えびは、富山湾の神通川河口、庄川河口、常願寺川河口などの「あいがめ」と呼ばれる海底谷の水深１００〜３００ｍのところに生息している。
それを長さ２００〜３００ｍの特殊な底曳網を使って獲る漁が行われている。
なお、漁獲期は４月〜１１月である。
本発明は、上記白えびを燗酒に入れて食するのに好適な調理方法及びそのようにして得られる酒の提供を目的とする。
【０００３】
【課題を解決するための手段】
請求項１に記載の発明は、白えびをゆでる工程と、
上記ゆでた白えびを天日干しする工程と、
上記天日干しした白えびを軽く火にあぶる工程と、
上記火にあぶった白えびを燗酒に入れる工程とからなる白えび酒とした。
【０００４】
請求項２記載の発明は、白えびをゆでる工程と、
上記ゆでた白えびを天日干しする工程と、
上記天日干しした白えびを軽く火にあぶる工程とからなる燗酒に入れて食するための調理された乾燥白えびとした。
【０００５】
【発明の実施の形態】
約１０〜５０ｇ／Ｌ濃度の食塩が入った湯を用意する。
沸騰している湯に水あげされた直後の新鮮な白えびを入れる。
白えびが浮いてきた状態で湯切り、上げる。
次に、このゆでた白えびをザル等の入れ物に載せ、約２〜４日間、天気の良い日に天日干しする。
天日干しすると、白えびが乾燥し、そのまま食べられる状態になる。
このようにして天日干しした白えびをかるく火であぶる。
白えびは味が薄いので火であぶることで甘味や香ばしさが強くなる。
酒を飲む容器にわずかの塩とともに上記白えびを入れて約７０℃以上に温めた熱めの清酒を入れる。
ここで熱めの清酒とは、白えびの甘味と香ばしさを引き出す程度に温めた燗酒をいう。
【０００６】
【発明の効果】
このようにして得られた白えび入り酒は、白えびの甘味と香ばしさが出た美味しい酒となる。
また、請求項２記載のように、白えびをゆでる工程と、このゆでた白えびを天日干しする工程と、その後に軽く火であぶった工程を経た白えびは乾燥していて、そのまま食しても甘味や香ばしさがあり、長期保存が出来る。
(57)【要約】【課題】本発明は、現在位置と目標位置との差をブレーキポイントに反映させて更新することにより、人手を介さずに停止精度を向上させることを目的とする。【解決手段】本発明によるブレーキ制御による停止位置自動補正方法は、移動体の現在位置（２）と目標位置（１）との差（３）の１／２を、次回のブレーキポイント（５）の設定に反映させることにより、ブレーキポイント（５）の自動更新を行って停止精度を向上させる方法である。【選択図】        図１
2004357354.tif 000002
【特許請求の範囲】
【請求項１】
ブレーキ付きモータを用いて移動体を移動させ、目標位置（１）を設定してブレーキポイント（５）でブレーキを作動させ、前記移動体を停止させるようにしたブレーキ制御による停止位置自動補正方法において、
前記移動体が移動して停止した現在位置（２）と予め設定した前記目標位置（１）との差（３）である停止位置誤差（３ａ）の１／２を、次回のブレーキポイント（５）の設定に加算又は減算することを特徴とするブレーキ制御による停止位置自動補正方法。
【発明の詳細な説明】
【０００１】
【発明の属する技術分野】
本発明は、ブレーキ制御による停止位置自動補正方法に関し、特に、移動体の現在位置と目標位置との差である停止位置誤差の１／２をブレーキポイントの設定に反映させることにより、停止精度を高めるための新規な改良に関する。
【０００２】
【従来の技術】
従来、用いられていたこの種のブレーキ付きモータを用いて移動体を目標位置で停止させる方法としては、社内で用いていた方法であるため、特許文献等は開示していないが、負荷等を考慮し、予め予想によってブレーキをかけるブレーキポイントを設定しておく。
次に、実際に何度か移動体の停止動作を行い、その時の各ズレ量からブレーキポイントを変更して停止精度を高めるようにしていた。
【０００３】
【発明が解決しようとする課題】
従来のブレーキ付きモータを用いた移動体の目標位置停止方法は、以上のように構成されていたため、次のような課題が存在していた。
すなわち、移動体を何回も移動・停止させ、その都度、ブレーキポイントの修正を行うため、多大の時間と人手を介さなければ、停止精度を高めることが困難であった。
【０００４】
本発明は、以上のような課題を解決するためになされたもので、特に、移動体の現在位置と目標位置との差である停止位置誤差の１／２をブレーキポイントの設定に反映させることにより、停止精度を高めるようにしたブレーキ制御による停止位置自動補正方法を提供することを目的とする。
【０００５】
【課題を解決するための手段】
本発明によるブレーキ制御による停止位置自動補正方法は、ブレーキ付きモータを用いて移動体を移動させ、目標位置を設定してブレーキポイントでブレーキを作動させ、前記移動体を停止させるようにしたブレーキ制御による停止位置自動補正方法において、前記移動体が移動して停止した現在位置と予め設定した前記目標位置との差である停止位置誤差の１／２を、次回のブレーキポイントの設定に加算又は減算する方法である。
【０００６】
【発明の実施の形態】
以下、図面と共に本発明によるブレーキ制御による停止位置自動補正方法の好適な実施の形態について説明する。
図１は本発明のブレーキ制御による停止位置自動補正方法のブロック図である。
図１において符号１で示されるものは、図示しない周知のブレーキ付きモータによって機械等の移動体を目標地点に停止させるための予め設定された目標位置であり、移動体を移動させた場合のその時の移動体が停止した位置が現在位置２として示されている。
【０００７】
前述の目標位置１と現在位置２との差３は、停止位置誤差３ａとして出力され、この停止位置誤差３ａの１／２の値４が後述のブレーキポイント５の設定に加算又は減算されて反映される。
【０００８】
次に、図２の位置決め動作パターンを用いて実際に移動体を移動させ、ブレーはポイントでブレーキを作動させ、目標位置１に合わせて移動体を停止させるように自動補正する場合について述べる。
尚、本発明に用いるブレーキ付きモータは、図示していないが、周知（例えば、特開２０００−５０５６９号公報に開示）の構成であり、その構造としては、モータ軸に設けられたディスク板と、電磁部のオン／オフによってディスク板に対して作動／非作動となるブレーキシュー板と、このブレーキシュー板をディスク板に常時押付けるためのスプリングとから主として構成されている。
【０００９】
従って、モータを駆動する電源がオフの時は、スプリングのばね力によってブレーキシュー板がディスク板に押圧されてモータ軸の回転は強制的に停止状態が継続され、電源がオンとなると、電磁部がオンとなるためスプリングのばね力に抗してブレーキシュー板がこの電磁部によって協力に電磁吸引されてディスク板及びモータ軸がフリー回転可能なようにブレーキ解除１０ｅが行われるように構成されている。
【００１０】
前記ブレーキ付きモータ（図示せず）の運転信号１０としては、正転１０ａ、逆転１０ｂ、低速１０ｃ、高速１０ｄ、ブレーキ解除１０ｅ、位置決め中１０ｆ、一致１０ｇとからなり、図示しない機械系の移動体に接続又は設けられたブレーキ付きモータの正転１０ａをオンさせると、ブレーキ解除１０ｅ、高速１０ｄ及び位置決め中１０ｆとなり、移動体は現在位置２から目標位置１に向けて移動を開始する。
【００１１】
前記高速１０ｄ後に、低速１０ｃとなり、この低速１０ｃ終了後に、ブレーキポイント５発令で正転１０ａ終了、ブレーキ解除１０ｅオフとなり、一致１０ｇの作動となる。
ここで、前述の停止位置誤差３ａが１／２にされた後の値４が次回のブレーキポイント５に加算又は減算されて、ブレーキポイント５の更新が自動的に演算制御される。
【００１２】
従って、１回の位置決め動作で、移動体が目標位置に一致すれば問題はないが、一致しない場合は、前述の動作を繰り返し、値４をブレーキポイントに反映させて動作を重ねるうちに、自動的に最適なブレーキポイント５が設定され、その後は、１回の動作によって目標位置１に移動体を停止させることが可能となる。
【００１３】
尚、前述の場合、初期動作時にブレーキ解除１０ｅのブレーキ解除ディレイ時間Ｔ１及び位置決め完了時にも位置決め完了ディレイ時間Ｔ２を伴うことは機械系の制御であるため、避けがたいところである。
【００１４】
【発明の効果】
本発明によるブレーキ制御による停止位置自動補正方法は、以上のように構成されているため、次のような効果を得ることができる。
すなわち、移動体の現在位置と目標位置との差を１／２にして、その値をブレーキポイントに反映させて、次回のブレーキポイントを変えているため、自動的にブレーキポイントの更新を自動的に行うことができ、人手を介することなく高精度の停止位置の自動補正を行うことができる。
【図面の簡単な説明】
【図１】本発明によるブレーキ制御による停止位置自動補正方法を示すブロック図である。
【図２】図１の位置決め動作パターンを示す説明図である。
【符号の説明】
１    目標位置
２    現在位置
５    ブレーキポイント
【図１】
2004357354.tif 000003
【図２】
2004357354.tif 000004
(57)【要約】【課題】クライアントが随時、目的のダイアルアップユーザーの発信する映像の情報を取得できる画期的なシステム。【解決手段】クライアントと映像を発信するダイアルアップユーザーの間にハブサーバーを設けることで、ダイアルアップユーザーの接続の際に変化するＩＰアドレスをクライアント側に伝達し、クライアントは常に目的の映像を視聴することが出来た。【選択図】  図１
2004357265.tif 000002
【特許請求の範囲】
【請求項１】
インターネットにダイアルアップで接続するユーザーがインターネットを通じた動画等の継続的な放送の発信を可能とするシステム。
【発明の詳細な説明】
【０００１】
【発明の属する技術分野】
本発明は、ダイアルアップでインターネットに接続するユーザーが、動画を発信する新たなシステムの構築である。
【０００２】
【従来の技術】
多くのインターネットユーザー（ダイアルアップユーザー）はインターネットに接続する時にプロバイダーからＩＰアドレスが振り分けられるため、常に固定（静的）ＩＰアドレスの環境を得ることは不可能である。
【０００３】
インターネットを通じて、クライアントが動画などの映像を鑑賞する際には映像発信側サーバーが固定ＩＰアドレスでなければ、繰り返し同じユーザーの発信する映像を鑑賞することは出来ない。
【０００４】
しかし、固定ＩＰアドレスでインターネットに接続するには大企業や官公庁、大学、一部のケーブルネット接続やプロバイダーとの特殊契約と制限されており、固定ＩＰアドレスを取得するにはＮＩＣなどに登録が必要なため、非常に手間がかかる作業である。また、固定ＩＰアドレスユーザーの数も全体の約１０％と非常に少ない。
【０００５】
以上の点から、クライアントが常に同じ映像発信者の映像を鑑賞するには、発信者が固定ＩＰアドレスを持つユーザーに制限されてしまっている。よって、すべてのインターネットユーザーが、継続的に映像発信することは事実上不可能である。
【０００６】
【発明が解決しようとする課題】
本発明の解決する課題は、クライアントが常に同じダイアルアップユーザーの発信する映像を視聴することを可能とすることである。
【０００７】
【課題を解決するための手段】
映像発信側とクライアントを結ぶネットワーク上にハブサーバーと呼ばれる新たなサーバーを構築する。このサーバーはインターネット上でグローバルＩＰアドレスを設定する。
【０００８】
映像を公開したいダイアルアップユーザーは、まずハブサーバーにアクセスし、そこで個々のユーザーＩＤ（Ｅ−ｍａｉｌアドレス）とパスワードを入手する。これにより発信者の情報をサーバーに登録する。
【０００９】
ダイアルアップ接続ユーザーが映像公開するときは、上記サーバーにアクセスし、ＩＤとパスワードで認証する。この際、サーバーはアクセスしてきたユーザーの現在割り振られているＩＰアドレス情報を自動的に取得する。
【００１０】
クライアントは映像を視聴する際に、上記サーバーにアクセスする。このサーバーには固定ＩＰが割り振られているため、クライアントは常にこのサーバーにアクセスすることが出来る。
【００１１】
このサーバー上には現在映像公開しているダイアルアップユーザーの発信者の情報とＩＰアドレス情報があり、クライアントは視聴したいユーザーの現在接続しているＩＰアドレスを取得することが出来る。サーバーは、クライアントの要求に応じて、自動的に接続先を視聴したいユーザーのＩＰアドレスに変更することで、映像の視聴が可能となる。
【００１２】
発信者がネットワークへの接続を解除し、再度接続してＩＰアドレスに変更が生じても、ハブサーバーに随時接続することで個人情報が認証され、新たなＩＰアドレスの情報を登録することが出来る。これにより、クライアント側は視聴したいユーザーのＩＰアドレスをハブサーバーから常に取得することができ、映像を視聴することが出来る。
【００１３】
【この発明の波及性】
【００１４】
このシステムでは映像発信者、クライアント共に新たなソフトフェア、ハードフェアを導入する必要が無く、ハブサーバーにアクセスするだけである。よって簡便に目的を達成することが可能となる。
【００１５】
このシステムを用いることで、無線でのインターネット接続を含めほぼすべてのインターネットユーザーが継続的に映像の発信を行うことが可能となる。このことは、以下のような用途の使用に大いに活躍することが期待できる。
【００１６】
ビデオチャット・老人介護の監視・家屋や店舗での防犯対策・ペットや観賞魚などの情報発信・観光先や旅行先での実況レポート・店舗や施設などの情報発信・商品の紹介・各地の天気の情報など。
【図面の簡単な説明】
【図１】ハブサーバー及び、インターネット放送を行うダイアルアップユーザーとそれを視聴するクライアントを表した概要図。
【図１】
2004357265.tif 000003
(57)【要約】【課題】レコード盤の溝形状を映像として読み込むことによりレコード盤に接触せずに再生することを可能とする。【解決手段】レコード盤２をレコード盤収納台３にのせ、本体１に収納し、内部に溝形状読みとり部４を設け、それにより溝５の形状を読みとる。その形状の映像を細分化し、その縦一列を抽出し、そこのどの部分に溝があるかを読みとり、それをデジタル信号に変換し、さらにその信号を音声信号に変換し、音として再生する。【選択図】図１
2004357273.tif 000002
【特許請求の範囲】
【請求項１】
レコード盤収納台にレコード盤をのせ、本体に収納し、溝形状読みとり部により、レコード盤の溝の形状を読みとり、音声信号に変換し、音声として再生しようとするレコード盤再生装置。
【発明の詳細な説明】
【技術分野】
【０００１】
本発明は、レコード盤を再生する機器に関するものである。
【背景技術】
【０００２】
従来はレコード盤を再生するには、溝に針を接触させていた。
【０００３】
しかし、針を直接レコード盤の溝に接触させるため、溝の摩耗がおこり、音質の低下を招き、レコード盤製作時の音質を維持する事が難しかった。
【０００４】
また、針も溝と同様摩耗して、音質の低下につながるという欠点があった。
【非特許文献１】大矢浩史監修  「図解雑学機械のしくみ」ナツメ社  ２０００年
【発明の開示】
【発明が解決しようとする課題】
【０００５】
解決しようとする問題点は、従来の方法でレコード盤を再生する事により、レコード盤と針の摩耗による音質の低下及びレコード盤の損傷である。
【課題を解決するための手段】
【０００６】
本発明は、レコード盤に接触せずにレコード盤を再生することを最も主要な特徴とする。
【発明の効果】
【０００７】
本発明の非接触式レコード盤再生装置は、レコード盤に接触せずに溝の形状を読みとり再生する為レコード盤が損傷しない、さらに読みとりの精度を上げることにより針では再生できない部分の音まで再生することが可能であるという利点がある。
【発明を実施するための最良の形態】
【０００８】
レコード盤に接触せずにレコード盤を再生するという目的を、収納する台にレコード盤をのせ、本体に収納し、内部で溝の形状を読みとり、それを解析して、音として再生する。
【実施例１】
【０００９】
図１は、本発明装置の１実施例の全体図、内部の断面図及び、レコード盤の溝の拡大図である。図２は溝の形状を溝形状読みとり部により読みとった映像である。図３はその映像を各ひとこまずつに細分化したものである。図４は図３の細分化したものの縦一列を抽出したものである。１は本体、２はレコード盤、３はレコード盤収納台、４は溝形状読みとり部、５は溝である。
【００１０】
レコード盤２をレコード盤収納台３にのせ、本体１に収納し、レコード盤２を内部で回転させ、溝形状読みとり部４により溝５を読みとる。図２のように溝の形状を映像として読みとり、それを図３のように細分化し、図４のようにその縦一列を単位時間あたりに抽出して、その溝形状のある部分をデジタル信号に変換し、それを音声に変換して、レコード盤を再生する。
【００１１】
溝形状の読みとりは、図４の部分だけ必要なので、溝形状を図３のように広範囲読みとるしくみでなくてもよい。
【００１２】
溝形状は、読みとりながら、同時に音声の再生をせずに、デジタル信号に変換したデータを、ハードディスクなどの記録媒体に一度記録しておいてから、再生する方式でもよい。
【００１３】
また、溝形状読みとり部４は、レコード盤２の表裏を反転させなくても溝形状が読みとれるように、表と裏の両面に設けてもよい。
【００１４】
溝形状の読みとりは、読みとり精度を上げることにより、より原音に近い音質の再生を可能とする。
【産業上の利用可能性】
【００１５】
この装置は、あらゆるレコード盤の再生が可能であるため、過去に生産されたレコード盤に収録されている音声又は音楽を、改めて現在の記録媒体に収録されなおしたものを入手する必要がない。しかも、よりアナログ音源に近い音声の再生を可能としている。
【図面の簡単な説明】
【００１６】
【図１】非接触式レコード盤再生装置の外観図、内部の断面図、溝の拡大図である。
【図２】溝形状読みとり部で読みとった部分の映像の図である。
【図３】溝形状読みとり部で読みとった部分の映像を細分化したものの図である。
【図４】溝形状読みとり部で読みとった部分の映像を細分化したものの縦一列を抽出したものの図である。
【符号の説明】
【００１７】
１    本体
２    レコード盤
３    レコード盤収納台
４    溝形状読みとり部
５    溝
【図１】
2004357273.tif 000003
【図２】
2004357273.tif 000004
【図３】
2004357273.tif 000005
【図４】
2004357273.tif 000006
(57)【要約】【課題】ＩＴ社会における新たな楽しいコミュニケーション手段をＶｏＩＰ技術・ロボット制御技術により提供する。【解決手段】ＶｏＩＰ技術によるインターネット・ＬＡＮ・無線ＬＡＮなどのデジタル信号を用いたハンズフリーＶｏＩＰ電話機に、同時に含まれている制御信号を演算手段により、再生音声の声色を変化させたり、お互いに相手の動作部分を動作させたり、カメラ部からの映像を相互に送りあうなど、あたかも通話相手が目の前にいるかのように通話ができるロボット型ＶｏＩＰ電話機である。【選択図】図１
2004357259.tif 000002
【特許請求の範囲】
【請求項１】
インターネット・ＬＡＮ・無線ＬＡＮなどのデジタル信号を用いたＶｏＩＰ技術によるハンズフリー電話機であり、ＶｏＩＰ技術によるＩＰ電話機がアナログ電話機より使用音声帯域を広くとれることを利用して、高品質でリアルな音質の通話をしつつ、同時にデジタル信号に制御信号を含ませることにより、電話機に実装された演算手段により再生音声の声色を変化させたり、お互いに相手の動作部分を動作させたり、カメラ部からの映像を相互に送りあうことができる、あたかも通話相手が目の前にいるかのように通話ができるロボット型ＶｏＩＰ電話機。
【発明の詳細な説明】
【０００１】
【発明の属する技術分野】
この発明はインターネット技術を用いた音声伝送技術および遠隔制御技術に関する。
【０００２】
【従来の技術】
通話相手の実在感を感じるためにテレビ電話を利用した場合、画質・音質ともに不十分であり、設置費用・通話費用も莫大であった。
【０００３】
【発明が解決しようとする課題】
音声品質を上げただけでは電話での会話の楽しさが増すとは必ずしも言えないが、ロボット型ＶｏＩＰ電話機を利用することにより声色の変化・身振り手振り・視覚等を加えた実在とバーチャルとが混在した会話が楽しめるようになる。ＩＴ社会における新たな安価で楽しいコミュニケーション手段を提供することを課題とする。
【０００４】
【課題を解決するための手段】
以上の課題を解決するために、請求項１の発明は、インターネット・ＬＡＮ・無線ＬＡＮなどのデジタル信号を用いたＶｏＩＰ技術によるハンズフリー電話機であり、ＶｏＩＰ技術によるＩＰ電話機がアナログ電話機より使用音声帯域を広くとれることを利用して、高品質でリアルな音質の通話をしつつ、同時にデジタル信号に制御信号を含ませることにより、電話機に実装された演算手段により再生音声の質を変化させたり、お互いに相手の動作部分を動作させたり、カメラ部からの映像を相互に送りあうことができる、あたかも通話相手が目の前にいるかのように通話ができるロボット型ＶｏＩＰ電話機である。
【０００５】
【発明の実施の形態】
この発明の一実施形態を、図１に示す。
このロボット型ＶｏＩＰ無線電話機は縫いぐるみ等の形態をなし、マイクロフォン４・スピーカー５を備え、無線ＬＡＮ１・８を経由してハンズフリー通話が可能となっている。胴部に備えた演算手段６はＶｏＩＰ通信の処理と同時に目に備えたＣＣＤカメラ２、顔面部・手・足等に備えた動作部を制御する。ＣＣＤカメラにより取り込まれ送信された映像は表示装置により表示可能であり、通話者はパソコン等をＬＡＮ経由でこのロボット型ＶｏＩＰ無線電話機と接続することにより、例えば見たい風景を見るために相手側ロボット型ＶｏＩＰ電話機の顔部の向きを変え、あるいは目を動かすなどこのロボット型ＶｏＩＰ電話機を制御することが可能である。
発呼・着呼操作等はリモート補助入力装置（図示せず）により受信部３を通じて操作することもできる。
【０００６】
「実施形態の効果」
この実施形態によればあたかも遠隔地にいる通話相手が自らの部屋に訪問しているかのような、或いは遠隔地に相手を訪問しているかのような会話を楽しむことができる。
【０００７】
「他の実施形態」
図１の実施形態ではＶｏＩＰ無線電話機であるが、充電部とＶｏＩＰ電話機部が一体となった有線ＶｏＩＰ電話機でもよい。またアニメーションキャラクタのような造形でもよい。
【０００８】
【発明の効果】
以上説明したようにロボット型ＶｏＩＰ電話機を利用することにより声色の変化・身振り手振り・視覚等を加えた実在とバーチャルとが混在した会話が楽しめるようになり、ＩＴ社会における新たな安価で楽しいコミュニケーション手段が出現し、これを応用した新サービスの創出が期待される。
【図面の簡単な説明】
【図１】この発明の一実施形態（無線ＶｏＩＰ電話機）を示す斜視図である。
【図２】この発明の一実施形態であるＶｏＩＰ無線電話機の電源蓄電池をチャージし且つ無線アクセスポイントをなす実施例を示す斜視図である。
【図３】上記図１図２を組み合わせたときの斜視図である。
【図４】この発明の一実施形態であるＶｏＩＰ無線電話機をインターネットおよび制御用ＰＣと接続した場合の接続図である。
【符号の説明】
１  ＶｏＩＰ無線電話機アンテナ部
２  ＣＣＤカメラ部
３  ＶｏＩＰ無線電話機制御用リモート補助入力装置受信部
４  マイクロフォン部
５  スピーカー部
６  ＶｏＩＰ無線電話機本体演算装置格納部
７  ＶｏＩＰ無線電話機充電用電極部
８  アクセスポイントアンテナ部
９  イーサネットケーブル・電源ケーブル
【図１】
2004357259.tif 000003
【図２】
2004357259.tif 000004
【図３】
2004357259.tif 000005
【図４】
2004357259.tif 000006
(57)【要約】【課題】本発明は前記の目的を達成するため、体に自然に身に付けられるお酒落ワイヤレスバイブレータ・光の便利機の提供。【解決手段】本発明は前記の目的を達成するため、お洒落ワイヤレスバイブレータ・光の便利機として指輪・ブレスレッド・イヤリング・ネックレスとワイヤレスバイブレータ・光を一体形にする。【特許請求の範囲】
【請求項１】
指輪・ブレスレッド・イヤリング・ネックレスにワイヤレスでバイブレータまたは光で着信を知らせる便利機。
【発明の詳細な説明】
【０００１】
【発明の属する技術分野】
本発明は、携帯電話、ＰＨＳ，ポケットベル、一般電話からの信号を受けてワイヤレスでバイブレータ機能及び光を具備した用具に関する。
【０００２】
【従来の技術】
ワイヤレスでバイブレータまたは光製品は多数出廻つているが指輪・ブレスレッド・イヤリング・ネックレス製品は皆無である。
【０００３】
【発明が解決しようとする課題】
しかしながら，従来のワイヤレス機では洋服のポケットや鞄に入れているためバイブレータ機能の振動及び光を感じ取れない場合がある。
【０００４】
本発明はお洒落なワイヤレスバイブレータ・光便利機を体につけることにより、確実にバイブレータ機能の振動及び光を感じ取ることを目的としたものである。
【０００５】
【課題を解決するための手段】
本発明は前記の目的を達成するため、ワイヤレスバイブレータ・光便利機として指輪・ブレスレッド・イヤリング・ネックレスにバイブレータまたは光機能を付加することにより、お酒落で邪魔にならく持つことができる。
【０００６】
【発明実施の形態】
本発明の具体的構成を図について説明すると、指輪等の用具と、一体になった形のお酒落ワイヤレスバイブレータ・光の便利機。
【０００７】
【発明の効果】
本発明は体の一部に身に付けることにより緊急の電話及びメール等を見逃さずにすむ利点があるばかりでなくお洒落で邪魔にならい。
【図面の簡単な説明】
【図１】お洒落ワイヤレスバイブレータ・光の便利機の使用例。
【符号の説明】
１  指につける
２  首につける
３  腕につける
４  耳につける
５  足につける
【図１】
2004357260.tif 000002
(57)【要約】【課題】人体の指部の治療及び痛みの緩和を目的に使用する指固定装具は適宣肢位に寸時に調整可能とし、何種類の装具を使い分ける必要の無い１種類で幅広い疾患に使用できる、指固定装具を提供することを課題とした。【解決手段】指部の掌側又は背側での固定部位に当たる主体部１の左右両端部に平行に指部周囲を１周以上巻きつけ可能な長さを有する、上側バンド２ａ・下側バンド２ｂを繊維材で一体として形成し、主体部１の内面側には伸縮性の布片を筒状に形成し、内部には、自在に形状を調整可能な柔軟性のステー４を設けた。又、主体部１の巻き付け方法を、同一方向側端部から二股でほぼ平行に２本の上側バンド２ａと下側バンド２ｂを設けて構成した。【選択図】図１
2004357809.tif 000002
【特許請求の範囲】
【請求項１】
該装具は、柔軟性、伸縮性が有り、外表面は面状ファスナーが付着可能な繊維で形成し、人体の母指、示指、中指、環指、小指の障害に対し、指部周囲に巻き付け装着する主体部１から左右両端に指部周囲を１周可能な長さの上側バンド２ａと下側バンド２ｂを形成し、上側バンド２ａ下側バンド２ｂの端部には、面状ファスナー３を設けて構成したことを特徴とする指固定装具。
【請求項２】
前記主体１からほぼ平行で二股に二本の上側バンド２ａと下側バンド２ｂを形成した請求項１の指固定装具。
【請求項３】
前記、指固定装具の装着時、特に指はよく動く組織の為、確実な固定が必要な為、固定する面を掌側面と背側面の両面を可能とした。又、背側面にステー４を当て固定した場合は、掌側で物に触る場合は邪魔にならない便利な利点の有する請求項１の指固定装具。
【請求項４】
前記、指固定装具は障害の治療の種類によって固定肢位が異なる為、角度を自由に調整できるステー４を内蔵した請求項１の指固定装具。
【請求項５】
前記の上側バンド２ａと下側バンド２ｂは７０ｍｍ以上の長さを設けた請求項１の指固定装具。
【発明の詳細な説明】
【０００１】
【発明が属する技術分野】
本発明は、整形外科用の装具療法の技術分野に属し、詳しくは人体の指部の障害の治療及び痛みの緩和を目的に使用する指固定装具に関するものである。
【０００２】
【従来の技術】
本発明が適用とする突き指、掌側板損傷、側副靭帯損傷、不全骨折、骨端線離開、槌指、ボタン穴変形、スワンネック変形、慢性リュウマチ、変形性関節症、弾発指等に使用される整形外科用の指装具は、疾患別専用に製品化されたものが一般的である。
【０００３】
【発明が解決しようとする課題】
しかし、従来の指固定装具は症状別に何種類もの装具を使い分ける必要があるとともに、患者の個人差により装具が合わず、効果を発現できないことがある。そこで、本発明は疾患別に何種類の装具を使い分ける必要の無い、１種類で様々な疾患や目的に有効に使用できる指固定装具を提供することを課題とした。
【０００４】
【課題を解決するための手段】
本発明の指固定装具は治療の種類による適宣肢位の形状が自在に調整できるステー４を内蔵し多種の疾患に対応でき効果の高い装具療法を可能にした。
【０００５】
【発明の実施の形態】
本発明の実施の形態を図１〜図２によって説明する。本発明は、母指、示指、中指、環指、小指に発生する障害に対し、指部の固定を目的とした図１ステー４内蔵の主体部１と、これを指部に装着する為の上側バンド２ａと下側バンド２ｂで構成され図１・図２に示す形状の指固定装具である。
【０００６】
図１の主体部１は固定部位に当てる主体であり、上側バンド２ａと下側バンド２ｂは互い違いの方向で指部に巻きつけ装着するバンドである。
【０００７】
図２の主体部１も固定部位に当て、上側バンド２ａと下側バンド２ｂを同一方向で指部に巻きつけ装着するバンドである。
【０００８】
図１、図２の主体部に内蔵したステー４は、障害の治療の種類によって固定肢位が異なる為、その固定肢位に適合する角度を寸時に調節可能な素材を内蔵し、迅速に確実な治療ができる。又、疾患によっては、固定する面を掌側、背側のどちらの面でも選択ができ、便利な利点がある。
【０００９】
主体１及び上・下側バンドの素材は柔軟性・伸縮性が有り、外表面は面状ファスナーが付着可能な繊維で形成し、上側バンド２ａと下側バンド２ｂの端部には、面状ファスナー３を取り付け装着時の係止となっている。
【００１０】
【発明の効果】
本発明の指固定装具は障害を受けた指の治療には非常に大切なものである。特に指はよく動く組織だけに、治療を確実にする為にも、固定は重要となる、又迅速な治療を要求される為、簡便なデザインと着脱がし易く、治療に適合する固定肢位に寸時に調節できる特徴が効果を発揮する。
【図面の簡単な説明】
【図１】本発明の指固定装具の実施形態の一例を示す正面図。
【図２】本発明の指固定装具の別の実施形態の一例を示す正面図。
【符号の説明】
１    主体部
２ａ  上側バンド
２ｂ  下側バンド
３    面状ファスナー
４    ステー
５    上下境
【図１】
2004357809.tif 000003
【図２】
2004357809.tif 000004